(57)【要約】【課題】ビードコアを、カーカスバンドの巻き回し部の内側へ、常に確実に、かつ適正に残留させる。【解決手段】円筒状に形成されて、軸線方向の両端部分の外周側に、相互に向き合う方向に鈎状に折れ曲がる巻き回し部３を有するカーカスバンド２の、各巻き回し部３の内側に円環状のビードコア５をセットするものであり、ビードコア５を保持して、カーカスバンド２の軸線方向外側および半径方向外方に変位して、保持したビードコア５を巻き回し部の内側に残留させる一対のビードホルダ１の、カーカスバンド２の外面６に、カーカスバンド２の軸線方向外側への変位に際して、巻き回し部３の端縁Ｅより半径方向の内側に頂Ｐをもつ凸部を設けてなる。【選択図】図１
2007001126.tif 000002
【特許請求の範囲】
【請求項１】
円筒状に形成されて、軸線方向の両端部分の外周側に、相互に向き合う方向に鈎状に折れ曲がる巻き回し部を有するカーカスバンドの、各巻き回し部の内側に円環状のビードコアをセットする装置であって、
ビードコアを保持して、カーカスバンドの軸線方向外側および半径方向外方に変位して、保持したビードコアを巻き回し部の内側に残留させる一対のビードホルダの、カーカスバンドの軸線方向外側の表面に、カーカスバンドの軸線方向外側への変位に際して、巻き回し部の端縁より半径方向の内側に頂をもつ凸部を設けてなるビードコアのセット装置。
【請求項２】
凸部を、巻き回し部の端縁の外径より半径方向の外方まで連続させて形成してなる請求項１に記載のビードコアのセット装置。
【請求項３】
凸部を、ビードホルダの半径方向内端位置から０〜３０ｍｍの範囲内に形成してなる請求項１もしくは２に記載のビードコアのセット装置。
【請求項４】
一対のビードホルダで相互の対向面側に保持した円環状のそれぞれのビードコアを、円筒状に形成したカーカスバンドに対し、それの両端部分の外周側に設けられて、相互に向き合う方向に鈎上に折れ曲がるそれぞれの巻き回し部の間まで相対変位させ、次いで、両ビードホルダを、カーカスバンドの軸線方向外側へ変位させて、両ビードホルダの相互の対抗面で、それぞれの巻き回し部を、カーカスバンドの軸線方向外側および半径方向外方の両方向に弾性的に押し広げ変形させ、しかる後、ビードホルダを半径方向外方へ退避変位させて、それの凸部で、巻き回し部を半径方向外方へより大きく拡径変形させるとともに、ビードコアを巻き回し部の内側に残留させるビードコアのセット方法。
【請求項５】
ビードロック手段によってビードコアを位置決めロックした後、ビードホルダを退避変位させる請求項４に記載のビードコアのセット方法。
【発明の詳細な説明】
【技術分野】
【０００１】
この発明は、円筒形をなすカーカスバンドの両端部分に形成されて、相互に向き合う方向に鈎上に折れ曲がるそれぞれの巻き回し部の内側への、円環状のビードコアの適正なるセットを確実にするビードコアのセット装置および、それを用いたセット方法にある。
【背景技術】
【０００２】
円筒状のカーカスバンドの、両端部分の外周側に形成した巻き回し部の内側への、円環状のビードコアのセット技術としては、出願人の提案に係る特開２０２−３２１２８９号公報に開示されたものがある。
【０００３】
この提案技術では、図４（ａ）に軸線方向断面図で示すように、図示しないサーバから成型ドラム１１１上へ供給されたカーカス素材を、そこで円筒状に形成してカーカスバンド１１２とするとともに、そのカーカスバンド１１２に、カーカス素材への予めのくせ付け加工に基いて、軸線方向の両端部分に位置して相互に向き合う方向に鈎状に折り曲がる巻き回し部１１３を設けたところにおいて、はじめは、図４（ｂ）に示すように、たとえば、スティフナ１１４を予め貼着させたそれぞれのビードコア１１５を、それぞれのビードホルダ１１６の相互の対向面に、磁気吸着等によって同心に保持した状態で、カーカスバンド１１２のそれぞれの端部側から、図に仮想線で示すように、そのカーカスバンド１１２の両巻き回し部１１３に間まで変位させる。
【０００４】
なおこの場合、それぞれのビードホルダ１１６の先端内径を、図示のように、カーカスバンド１１２の巻き回し部１１３の外径より小さく設定したときは、ビードコア１１５を上述したように変位させるに当って、ビードホルダ１１６の先端が、巻き回し部１１３を押し潰す方向に弾性変形させることになる。
【０００５】
次いで、同図（ｃ）に示すように、それぞれのビードホルダ１１６を相互に離隔する方向に水平変位させることで、それらの先端部分で、巻き回し部１１３の、図４（ｄ）に示すような弾性的な押し広げ変形をもたらす。
この場合、ビードホルダ１１６の先端内径の、巻き回し部外径に対する予めの選択により、ビードホルダ１１６の先端の、巻き回し部１１３に対する掛合量が少なすぎるとき、または、その掛合が全く行われないときには、図４（ｃ）に仮想線で示すように、ビードホルダ１１６の先端を縮径方向に変位させることで十分な掛合量を確保する。
【０００６】
その後は、成型ドラム１１１のビードロック１１７を、図４（ｄ）に仮想線で示すように変位させて、ビードコア１１５をロック状態とし、続いて、それぞれのビードホルダ１１６を半径方向外方へ退避変位させて、ビードホルダ１１６の、巻き回し部１１３からの離隔をもたらすことで、図４（ｅ）に示すように、ビードコア１１５を、弾性復帰した巻き回し部１１３の内側に残留させてそこにセットすることとしている。
【特許文献１】特開２００２−３２１２８９号公報
【発明の開示】
【発明が解決しようとする課題】
【０００７】
しかるに、この従来技術にあっては、ビードホルダ１１６の、横断面形状が四角形をなすそれぞれのフィンガ部材の、カーカスバンド１１２の軸線方向の外側に向く表面を垂直平坦面としていることから、そのビードホルダ１１６の先端で、ほぼ鈎状をなす巻き回し部１１３を押し広げ変形させるに当り、その巻き回し部１１３の端部分が、図４（ｃ）に実線で示すように、ビードホルダ１１６の垂直平坦面にほぼ直角に当接した後、ビードホルダ１１６の水平変位の進行に伴って、巻き回し部端部分が、図５（ａ）に示すように、半径方向の内方側へ縮径変形するおそれがあり、この結果として、ビードホルダ１１６の退避変位によって、ビードコア１１５が、図５（ｂ）に示すように、巻き回し部１１３の外側にセットされることになるという問題があった。
【０００８】
この一方で、巻き回し部１１３の弾性的な押し広げ変形が行なわれた場合にあっても、巻き回し部１１３の構成各部の変形の態様によっては、図６（ａ）に示すように、巻き回し部１１３の基部外面が、内周側部材としてのビードロック１１７の表面に早期に接触することがあり、これがため、ビードホルダ１１６が相互の離隔限界位置まで変位してなお、巻き回し部１１３、とくにはそれの端部分の、半径方向外方向への拡径量が不足し、その結果として、弾性的に拡径変形させた巻き回し部１１３の、残留ビードコア１１５への適正なる巻き付けが困難となり、巻き回し部１１３内に残留させたビードコア１１５の、横断面内でのそれの角部が、図６（ｂ）に示すように、巻き回し部１１３の折曲部とうまく整合し得えなくなることがあるという問題があった。
【０００９】
この発明は、従来技術が抱えるこのような問題点を解決することを課題としてなされたものであり、それの目的とするところは、円環状のビードコアを、カーカスバンドの巻き回し部の内側へ、常に確実に、かつ適正に残留させることができるビードコアのセット装置およびセット方法を提供するにある。
【課題を解決するための手段】
【００１０】
この発明に係るビードコアのセット装置は、円筒状に形成されて、軸線方向の両端部分の外周側に、相互に向き合う方向に鈎状に折れ曲がる巻き回し部を有するカーカスバンドの、各巻き回し部の内側に円環状のビードコアをセットするものであり、ビードコアを内面側に保持して、カーカスバンドの軸線方向外側に水平変位して、好ましくは、各巻き回し部を弾性的に押し広げ変形させるとともに、カーカスバンドの半径方向外方に変位して、保持したビードコアを巻き回し部の内側に残留させる一対のビードホルダの、カーカスバンドの軸線方向外側の表面、すなわち外面に、カーカスバンドの軸線方向外側への変位に際して、巻き回し部の端縁より半径方向の内方に頂をもつ、側面視で直線および曲線の少なくとも一方からなる凸部を設けたものである。
【００１１】
ここで好ましくは、凸部を、巻き回し部の端縁の外径より半径方向の外方まで連続させて形成し、また好ましくは、凸部を、ビードホルダの半径方向内端位置から０〜３０ｍｍの範囲内に形成する。
なおここにおいて、ビードホルダの、カーカスバンドの半径方向外方への変位量は、３０ｍｍ以下とすることが好ましい。
【００１２】
また、この発明に係るビードコアのセット方法は、一対のビードホルダで相互の対向面側、すなわち内面側に保持した円環状のそれぞれのビードコアを、円筒状に形成したカーカスバンドに対し、それの両端部分の外周側に設けられて、相互に向き合う方向に鈎状に折れ曲がるそれぞれの巻き回し部の間まで相対変位させ、次いで、両ビードホルダを、カーカスバンドの軸線方向外側へ変位させて、両ビードホルダの相互の対抗面、いいかえれば外面で、それぞれの巻き回し部を、カーカスバンドの軸線方向外側および半径方向外方の両方向に弾性的に押し広げ変形させ、その後、ビードホルダを半径方向外方へ退避変位させて、それの凸部で巻き回し部を半径方向外方へより大きく拡径変形させるとともに、ビードコアを巻き回し部の内側に残留させるにある。
この場合、好ましくは、ビードロック手段によってビードコアを位置決めロックした後、ビードホルダを退避変位させる。
【発明の効果】
【００１３】
この発明に係る装置では、一対のビードホルダの内面側にビードリングを磁気吸着等させた状態で、それらの両ビードホルダを、カーカスバンドのそれぞれの巻き回し部の間へ変位させ、続いて、両ビードホルダを、相互の離隔方向へ水平変位させて、各巻き回し部を弾性的に押し広げ変形させるに当り、好ましくは、前記凸部の作用下で、巻き回し部の端部分の、半径方向外方への拡径変形を誘導することにより、その端部分への、図５に示すような縮径変形の発生を防止して、巻き回し部端部分の外周側へのビードコアのセットのおそれを有効に取り除くことができる。
【００１４】
しかも、この装置では、一対のビードホルダを相互の離隔限界位置まで水平変位させた後、それらを半径方向外方に退避変位させるに当って、巻き回し部の端縁より内周側に存在する、ビードホルダ外面の凸部の頂がその先端部分に掛合してそれを拡径変位させることになるので、巻き回し部の端部分に、図５に示すような縮径変形が生じることがあったとしても、また、巻き回し部の基部外面が、たとえ図6（ａ）に示すように、内周側部材に早期に接触することがあったとしても、巻き回し部端部分の、その後に続く十分な拡径変形を実現することができ、その結果として、ビードコアを、巻き回し部の内側に、図６（ｃ）に示すように適正に残留させることができる。
【００１５】
なおここで、ビードホルダ外面の凸部を、巻き回し部端縁の外径より半径方向の外方まで連続させて形成した場合には、それぞれのビードホルダの相互の離隔変位に基づいて、巻き回し部の端部分を常に確実に拡径変位させることができるので、図５に示すような縮径現象の発生をより確実に防止することができ、また、図６（ａ）に示すような、巻き回し部の基部外面の早期の接触を予め十分に防止することができる。
【００１６】
ところで、凸部を、ビードホルダの半径方向内端位置から０〜３０ｍｍｎの範囲内に形成した場合には、少なくとも、ビードホルダの退避変位に際する、巻き回し部端部分の拡径変形をより十分に行わせることができる。
また、ビードホルダの、カーカスバンドの半径方向外方への変位量は３０ｍｍ以下とすることが、装置の大型化を回避する上で好ましい。
【発明を実施するための最良の形態】
【００１７】
図１は、この発明に係る装置の実施形態を、円周方向の所定の角度間隔をおいて位置する複数本のフィンガ部材よりなるビードホルダを、一本のフィンガ部材に代表させて示す要部側面図であり、相互に同軸に配設してなる一対のビードホルダ１の一方を示すものである。
【００１８】
このビードホルダ１は、図に仮想線で示す円筒状のカーカスバンド２の外周側に折り曲げ形成されて軸線方向の中央部側へ鈎状に突出する巻き回し部３に対して所定の作業を行うものであり、カーカスバンド２の軸線方向の中央部側の面、すなわち内面４に、全体として円環状をなすビードコア５をそれ単独で、または、そこに貼着させたスティフナとともに、磁気吸着等によって保持する。
【００１９】
ここでは、このようなビードホルダ１の、カーカスバンド２の軸線方向の外方側に向く外面６に、巻き回し部３に向けて三角山形状に突出する凸部７を設け、この凸部７の頂Ｐを、図示のような、ビードホルダ１による、巻き回し部３の押し広げ変形の開始直前のビードホルダ姿勢の下で、巻き回し部３の端縁Ｅより半径方向の内方に位置させる。
そしてより好ましくは、上記のビードホルダ姿勢において、凸部７を、図示のように、巻き回し部３の端縁Ｅの外径Ｄより半径方向の外方まで連続させて形成する。
【００２０】
なお、多くの場合は、カーカスバンド１の本体部分８から、半径方向外方へ８〜１５ｍｍ離隔して位置することになる前記端縁Ｅを有する巻き回し部３に対しては、これも一般に、半径方向の内端をカーカスバンド本体部分８から１８〜２５ｍｍの範囲内に位置決めされるビードホルダ１の凸部７は、そのビードホルダ１の半径方向内端位置から０〜３０ｍｍの範囲内に形成することが好ましい。
【００２１】
ところで、中心軸線方向の断面図で示す、図示のカーカスバンド１の巻き回し部３は、三個所の、１２０°ずつの折れ曲がり部をもって形成して、その巻き回し部３の端部分９を、カーカスバンド１の中心軸線と平行に延在させているも、巻き回し部３の折れ曲がり個所および角度、巻き回し部端部分の延在方向等は、セットされるビードコアの横断面形状、寸法、セット姿勢その他に基いて適宜に選択できることはもちろんである。
【００２２】
このように構成してなる装置によって、ビードコアを巻き回し部の内側にセットするに当っては、はじめに、内面４にビードコア５を保持した一対のビードホルダ１のそれぞれを、カーカスバンド２の両端部分の巻き回し部３間へ変位させ、次いで、各ビードホルダ１を、図２（ａ）、（ｂ）にその一方を例示するように、カーカスバンド１の、軸線方向の外側に向けて水平変位させて、その外面６に設けた凸部７の作用の下に、巻き回し部３を軸線方向外側および半径方向外方の両方向に弾性的に押し広げ変形させる。
【００２３】
ここで、巻き回し部３のこのような押し広げ変形は、その巻き回し部３の端部分９が、図２（ａ）に示すように、端縁側が縮径する方向に傾斜する場合にあっても、凸部７の頂Ｐがその端縁Ｅより半径方向内方に存在する限りにおいて、常に円滑に、かつ確実に行われることになるので、従来技術で述べたように、ビードコア５が、巻き回し部端部分の外周側にセットされるおそれは十分に除去されることになる。
【００２４】
ビードホルダ１を、それの限界位置まで水平変位させた後は、ビードコア５を、ビードロック手段をもって位置決めロックして、または、位置決めロックすることなしに、そのビードホルダ１を、図２（ｃ）に示すように、半径方向外方に退避変位させて、ビードコア５をそのロック位置等に拘束する一方で、巻き回し部を、ホルダ凸部７の、巻き回し部端部分９への掛合の下で、半径方向外方へより大きく拡径変位させる。
【００２５】
これによれば、ビードホルダ１の水平変位下で、巻き回し部３の基部１０の外面が、仮りに、従来技術で述べたように、内周側部材に早期に接触することがあっても、その接触は、結果的には、巻き回し部端部分９のこの大きな、拡径変形によって確実に解消されることになる。
【００２６】
従って、ビードホルダ１の退避変位の継続によって、それと巻き回し部端部分９との掛合が解かれ、その巻き回し部３が原形状に弾性復帰したときは、所定の位置に拘束されるビードコア５を所期した通りに適正に包み込むことができる。
【００２７】
以上、ビードホルダ１の外面６に三角山形状の凸部７を設ける場合について説明したが、凸部は、側面視で、図３（ａ）に示すような曲線だけからなるものとすることもでき、また、直線と曲線との組み合わせになるものとすることもできる。
【００２８】
ところで、凸部の形成態様は、ビードホルダ１の外面６側へ絶対的に突出するものだけに限定されることなく、図３（ｂ）〜（ｅ）のそれぞれに例示するように、ビードホルダ１の中間部に形成した凹部１１より半径方向内方部分で、その凹部１１の底より外面６側へ相対的に突出する凸部１２とすることもできる。
なお、図３（ｅ）に示す例によっては、図５（ａ）に示すような縮径変形の発生を十分に防止することは困難となるも、ビードホルダ１の退避変位に際する、凸部１２による巻き回し部端部分の、図２（ｃ）の示すような拡径変形は常に確実に行われることになるので、この例によってもまた、ビードコア５を巻き回し部の内側に適正に残留させることができる。
【図面の簡単な説明】
【００２９】
【図１】この発明の実施例の形態を、一本のフィンガ部材に代表させて示す要部側面図である。
【図２】図１に示す装置の作用を示す工程図である。
【図３】他の実施形態を例示する要部側面図である。
【図４】従来技術を示す軸線方向断面図である。
【図５】巻き回し部の押し広げ不全例を示す図である。
【図６】巻き回し部の他の押し広げ不全例および適正例を示す図である。
【符号の説明】
【００３０】
１  ビードホルダ
２  カーカスバンド
３  巻き回し部
４  内面
５  ビードコア
６  外面
７  凸部
８  本体部分
９  巻き回し部端部分
１０  基部
１１  凹部
Ｐ  頂
Ｅ  巻き回し部端縁
【図１】
2007001126.tif 000003
【図２】
2007001126.tif 000004
【図３】
2007001126.tif 000005
【図４】
2007001126.tif 000006
【図５】
2007001126.tif 000007
【図６】
2007001126.tif 000008